(57)【要約】  本発明は、離散して配置されるセンサ配列に横たわるか、又は他の方法で接触する患者から収集される音響的な、電気機械的な、或いは関連する他の生理学的な信号を介してエネルギー偏差を測定する。信号がある周期の範囲で監視され、時間変域や周期変域で収集される。コンピュータは、種々の配列要素に亘り測定される信号からエネルギーを求めて、運動量フラックスを計算する。血圧は、運動量フラックスの計算から直接的に測定される。
2007524468.tif 000002
【特許請求の範囲】
【請求項１】
生体に関する徴候を監視する放射応力式非侵入型監視方法であって、
離散して配置される一以上のセンサ配列を提供するステップ、
離散して配置される一以上の前記センサ配列に接触させるステップ、
離散して配置される前記センサ配列によって、離散型の音響的な、電気機械的な、或いは他の生理学的な信号の測定及び収集を行うステップ、
前記離散型の信号を受信装置及び計算装置に送信するステップ、
離散して配置される各種センサ配列信号から時系列データを生成するステップ、
前記時系列データからエネルギースペクトルを計算するステップ、
離散して配置される前記各センサ配列の偏差を測定するステップ、
患者の生体に関する徴候を示す値を計算するステップ、
を備える方法。
【請求項２】
請求項１記載の方法において、
前記生体に関する徴候は、平均動脈圧、最高動脈圧、及び最低動脈圧である方法。
【請求項３】
請求項１記載の方法において、
前記生体に関する徴候は、高血圧及び関連する医学的な症状である方法。
【請求項４】
請求項１記載の方法において、
離散して配置される前記センサ配列の上に横たわるか、立つか、或いは他の方法で前記センサ配列に接触するステップを更に含む方法。
【請求項５】
請求項１記載の方法において、
前記離散型の音響的な、電気機械的な、或いは他の生理学的な信号を収集するステップは、ある周期の範囲で行われる方法。
【請求項６】
請求項１記載の方法において、
前記離散型の音響的な、電気機械的な、或いは他の生理学的な信号を収集するステップは、単一の周期で行なわれる方法。
【請求項７】
請求項１記載の方法において、
前記音響的な、電気機械的な、或いは他の生理学的な信号を収集するステップは、時間変域、或いは周期変域でデータを収集するステップを更に含む方法。
【請求項８】
請求項１記載の方法において、
前記生体に関する徴候を示す値を計算するステップは、種々の配列点又は配列点の組み合わせにおけるエネルギーを測定する非時系列的な方法によって行なわれる方法。
【請求項９】
請求項１記載の方法において、
離散型の信号を送信するステップは、ワイヤ、光ファイバ、又は無線を介して離散型の信号を送信するステップを更に含む方法。
【請求項１０】
請求項１記載の方法において、
患者の生体に関する徴候を連続的に、リアルタイムに監視すること提供するステップを更に含む方法。
【請求項１１】
請求項１記載の方法において、
離散型の信号配列から収集されたデータにより運動量フラックスを計算するステップを更に含む方法。
【請求項１２】
請求項１１記載の方法において、
前記運動量フラックスから患者の生体に関する徴候を計算するステップを更に含む方法。
【請求項１３】
請求項１記載の方法において、
離散して配置される一以上の前記センサ配列は患者に装着されない方法。
【請求項１４】
生体に関する徴候を監視する放射応力式非侵入型監視装置であって、
患者から得られる離散型の音響的な、電気機械的な、或いは他の生理学的な信号の測定及び収集を行うため離散して配置される一以上のセンサ配列と、
患者と接触するため離散して配置される一以上のセンサ配列上にある面と、
離散して配置される一以上の前記センサ配列により収集されるデータを送信する送信システムと、
離散して配置される一以上の前記センサ配列から送信されるデータを受信する受信装置と、
前記受信装置に連結され、患者の生体に関する徴候の値を計算するコンピュータ装置であって、離散して配置される各種センサ配列信号から時系列データを生成するステップと、前記時系列データからエネルギースペクトルを計算するステップと、離散して配置される前記各センサ配列の偏差を測定するステップとによって計算を実施するコンピュータ装置と
を備える装置。
【請求項１５】
請求項１４記載の装置において、
前記生体に関する徴候は、平均動脈圧、最高動脈圧、及び最低動脈圧である装置。
【請求項１６】
請求項１４記載の装置において、
前記生体に関する徴候は、高血圧及び関連する医学的な症状である装置。
【請求項１７】
請求項１４記載の方法において、
前記患者が、離散して配置される前記センサ配列の上に横たわるか、立つか、或いは他の方法で前記センサ配列に接触する方法。
【請求項１８】
請求項１４記載の方法において、
離散して配置される前記センサ配列は、ある周期の範囲で離散型の音響的な、電気機械的な、或いは他の生理学的な信号を収集する方法。
【請求項１９】
請求項１４記載の方法において、
離散して配置される前記センサ配列は、単一周期で行われる離散型の音響的な、電気機械的な、或いは他の生理学的な信号を収集する方法。
【請求項２０】
請求項１４記載の方法において、
離散して配置される前記センサ配列は、時間変域、或いは周期変域で、離散型の音響的な、電気機械的な、或いは他の生理学的な信号を収集する方法。
【請求項２１】
請求項１４記載の方法において、
前記コンピュータ装置は、種々の配列点又は配列点の組み合わせにおけるエネルギーを測定する非時系列的な方法によって、生体に関する徴候の値を計算する方法。
【請求項２２】
請求項１４記載の方法において、
前記送信システムは、ワイヤ、光ファイバ、又は無線を介して離散型の信号を送信する方法。
【請求項２３】
請求項１４記載の方法において、
離散して配置される前記センサ配列は、患者の生体に関する徴候を連続的に、リアルタイムに監視する方法。
【請求項２４】
請求項１４記載の方法において、
前記コンピュータ装置は、離散型の信号配列から収集されるデータにより運動量フラックスを計算する方法。
【請求項２５】
請求項２４記載の方法において、
前記コンピュータ装置は、さらに、前記運動量フラックスから患者の生体に関する徴候を計算する方法。
【請求項２６】
請求項１４記載の方法において、
離散して配置される一以上の前記センサ配列は患者に装着されない方法。
【発明の詳細な説明】
【技術分野】
【０００１】
本発明は、放射応力式の非侵入型血圧測定方法に関する。
【背景技術】
【０００２】
血圧や生体に関する他の徴候を測定する現行の方法は効率の良いものとは言えない。患者の生体に関する徴候を測定する方法の多くは、患者にとって不快な又は不便な侵入的な操作を伴う。通常の血圧測定は、患者の腕の周囲にカフを装着して行う必要があり、しかも、患者の生理学上の状態が正しく反映されない非連続的な“抜き取り検査”である。
【発明の開示】
【発明が解決しようとする課題】
【０００３】
連続的な非侵入型血圧測定方法について一層の改良が要求されている。
【課題を解決するための手段】
【０００４】
本発明は、患者からの信号を非侵入的に、リアルタイムに、連続的に収集して処理することにより、患者の現在の状態を測定するシステムである。本発明は、好ましくは、血圧の測定に関する。この測定には、平均動脈圧、最高動脈圧、最低動脈圧が含まれる。しかし、本発明は、血圧の測定に限定されず、生体に関する他の徴候を測定し、処理することもできる。また、本方法によれば、高血圧及び関連する他の医学的な症状を連続的に、非侵入的に監視することもできる。
【０００５】
本発明は、患者から収集される音響的な、電気機械的な、或いは関連する他の生理学的な信号を使用する。監視装置を動作させるため、患者は、使用するベッドや椅子や他の器具に離散して配置され、かつ一以上のセンサ配列で取付けられた離散式分離型センサに接触する。患者は、横たわるか、座るか、立つか、或いは別の方法で、離散して配置されたセンサ配列に接触すると共に、信号がある周期の範囲で、或いは特定の周期で監視される。データは、時系列としてか、或いはそれとは別の類似の方法によって収集される。データは、ワイヤ、光ファイバ、又は無線技術を介して、電圧信号の形態でコンピュータ装置に送信される。
【０００６】
各配列点のエネルギースペクトルが測定され、次に、それを用いて各配列の偏差が測定される。収集されたデータをコンピュータ解析することによって、患者を通る血流のエネルギー運動量フラックスが測定される。非時系列的な方法を用いることによって、種々の配列点か、或いは配列点の組合せにおけるエネルギーが測定される。運動量フラックスは、各配列の離散式分離型センサによって収集されるデータから求められる。血圧は、数学的アルゴリズムによる運動量フラックスに関連する。コンピュータ装置によって、血圧の計算が実行される。
【０００７】
本発明のこれらの目的や特徴、及び更に別の目的や特徴は、請求の範囲及び図面と共に上述され、かつ後述される明細書の開示内容により明らかとなる。
【発明を実施するための最良の形態】
【０００８】
本発明は、患者からの信号をリアルタイムに、連続的に収集して処理することにより、患者の状態を測定するシステムである。本発明は、好ましくは、血圧の測定に関する。その測定には、平均動脈圧、最高動脈圧、及び最低動脈圧が含まれる。本発明は、血圧の測定に限定されず、生体に関する他の機能、例えば、心拍数や脈拍や電気信号を同様に測定して処理することができる。本方法は、高血圧及び関連する他の医学的な症状を連続的に、非侵入的に監視することを提供する。
【０００９】
図１は、監視システム１、及び分離型センサ９の離散配列３を示す。本発明は、センサ配列３の状態で離散して配置されるセンサと接触する患者５から収集される音響的な、電気機械的な、或いは関連する他の生理学的な信号を使用する。離散して配置されるセンサ配列３は、その表面全体に分散する各センサ配列９を備える比較的平坦な装置７となっている。患者５は、図３に示すように、離散して配置されるセンサ配列３の上に横たわるか、立つか、或いは別の方法によって、離散して配置されるセンサ配列３に接触すると共に、信号がある周期の範囲で、或いは特定の周期で監視される。データは、時系列としてか、或いはそれとは別の類似の方法によって収集される。データは、各センサ配列９、即ち格子位置１〜ｎから、音響的な、電気機械的な、或いは他の生理学的な信号を介して収集される。
【００１０】
離散して配置されるセンサ配列３は、種々の規則的な、或いは非規則的な態様で配列することができる。図４及び図５は、幅広く離散して配置されるセンサ配列の一部に設けられる各センサ９の別の配置を示す。
【００１１】
離散して配置されるセンサ配列３は、図２に示すように、位置１〜ｎにおけるエネルギースペクトルを生成するため解析される時系列データを提供する。そのデータを用いることにより、時系列信号の偏差が測定される。収集されるデータのコンピュータ解析を用いることによって、患者を通るエネルギーの運動量フラックスが測定される。
【００１２】
血圧は、数学的モデルによる運動量フラックスに関連する。以下に、入力データと血圧との関係を示す。
Ｐａ＝Ｋ＊（Ｅ１−Ｅｎ）＝運動量の過剰流量による平均圧
Ｐａ＝平均血圧
Ｋ＝定数
Ｅ１＝位置１のエネルギースペクトル（曲線の下部面積−時系列の偏差）×脈波伝導速度の合計
Ｅｎ＝位置ｎのエネルギースペクトル（曲線の下部面積−時系列の偏差）×脈波伝導速度の合計
コンピュータ装置は、血圧の計算を実行する。その計算結果がユーザに出力される。
【００１３】
本発明の放射応力式非侵入型血圧装置は、時系列解析及びコンピュータ計算方法を用いて、患者からの音響的な、電気機械的な、或いは他の生理学的な信号を処理する。その偏差を計算するため、エネルギースペクトルがセンサ配列によって形成される。その分散は、エネルギースペクトル曲線の下部面積である。非時系列的な方法を用いて、種々の配列点におけるエネルギーが測定される。
【００１４】
本発明は、特定の実施形態を参照して説明されてきたが、以下の請求の範囲に記載される本発明の技術的範囲から逸脱することなく、本発明の変更や変形を構成してもよい。
【図面の簡単な説明】
【００１５】
【図１】離散配列を有する監視システムの図。
【図２】１〜ｎの位置で収集されるエネルギースペクトルの図。
【図３】センサ配列の上に横たわる人間の概略図。
【図４】センサ配列を備えるシートの一部を示す概略図。
【図５】センサ配列を備えるシートの一部を示す概略図。
【図１】
2007524468.tif 000003
【図２】
2007524468.tif 000004
【図３】
2007524468.tif 000005
【図４】
2007524468.tif 000006
【図５】
2007524468.tif 000007
【国際調査報告】
2007524468.tif 000008